(57)【特許請求の範囲】
【請求項１】
配管内に滞留する水を、その開口部から抽出して、前記配管外へ排出する配管内滞留水の抽水方法であって、
吸引部と排気部とを備え、前記吸引部と前記排気部に夫々開閉自在な吸引部閉塞手段と排気部閉塞手段とを設けてある真空容器を設け、
前記開口部に前記吸引部を流路接続し、
前記排気部に真空排気手段を流路接続し、
前記吸引部閉塞手段を閉じた状態で前記真空排気手段を用いて前記真空容器内を減圧吸引した後、
前記排気部閉塞手段を閉じるとともに前記吸引部閉塞手段を開いて、前記配管内の気体とともに前記配管内に滞留する水を前記真空容器内に吸引する配管内滞留水の抽水方法。
【請求項２】
請求項１に記載の配管内滞留水の抽水方法によって配管内の気体とともに前記配管内に滞留する水を前記真空容器内に吸引した後、
前記吸引部閉塞手段を閉じて前記真空容器内に前記吸引した気体とともに前記吸引した水を密閉状態で収容する配管内滞留水の抽水方法。
【請求項３】
請求項２に記載の配管内滞留水の抽水方法を都市ガス配管に適用して、可搬の真空容器内に前記吸引した気体とともに前記吸引した水を密閉状態で収容した後、
前記吸引部と前記都市ガス配管の開口部との流路接続及び前記排気部と前記真空排気手段との流路接続を取外し、
前記吸引した気体とともに前記吸引した水を密閉状態で収容する前記真空容器を移送し、
前記吸引した気体を及び前記吸引した水を、安全な状態で処理する配管内滞留水の抽水方法。
【発明の詳細な説明】
【０００１】
【発明の属する技術分野】
本発明は、配管内に滞留する水を管外に排出するための抽出方法に関し、詳しくは、配管内に滞留する水を、その開口部から抽出して、前記配管外へ排出する配管内滞留水の抽水方法に関する。
【０００２】
【従来の技術】
従来、配管内に水が滞留した場合には、排水バルブを設けていない場合には、その水の滞留場所の両側で配管を切り離して、切り離した一端側の開口部から圧縮空気等を吹き込んで水を吹き飛ばし、他端側の開口部から排出することが行われている。例えば図２に示すように、都市ガス配管１の供給管１Ｂ或いは灯外内管１Ｃ等に何らかの理由により管内に水が侵入した差し水或いは凝縮水が滞留した場合には、配管１の埋設場所を掘削して本管１Ａからの供給管１Ｂの取出し部を切り離し、前記滞留場所２の反対側にも開口部３を形成して圧縮空気管を接続して、圧縮空気を配管１内に吹き込んで、滞留した水を配管１外に吹き飛ばすことが行われている。尚、前記滞留場所は、図に示したように、道路埋設配管においては、交差する道路の下を横断する場合に、導水路等を避けるために、前記導水路等の下方を立体交差するために低い配管位置となっている部位が大部分である。
【０００３】
【発明が解決しようとする課題】
上記従来の抽水方法によれば、両開口部３，３間の管路径に対して管路長が長い場合には、圧縮空気が滞留場所２を通過する流速が、滞留する水を吹き飛ばすに充分でなくなる場合が生ずることがある。また、配管１が都市ガス配管である場合には、配管１から吹き出す気流に可燃性ガスが含まれるおそれがあり、排出ガスの安全を確保しなければならないという問題を生ずる。しかも、前記両開口部３，３を開口させるためには、埋設された配管１を掘り起こさねばならないために、道路の掘削を必要とするという問題もある。そこで出願人は、前記滞留場所２が、図３に示したように灯外内管１Ｃである場合に、内部の滞留場所２に水が滞留した灯外内管１Ｃを前記滞留場所２に対して下流側の地上開口部として例えば灯外内管１Ｃの立ち上がり部１ａからガスメータＭをメータコック４を閉じて取り外し、その開口部３に吸引装置１０を接続して、灯外内管１Ｃ内に滞留する水を吸引することを提案した。しかしながら、例えば図２に示すように、前記滞留場所２が供給管１Ｂの複数箇所にあった場合には、簡単に吸引して排水することが困難になることがある。仮にこの方法で吸引排水しようとすると、吸引装置が強力でなければならず、大掛かりな設備を必要とするという問題もある。これに対しては、吸引管を供給管内に挿入して吸引することも考えられるが、吸引管の先端を滞留場所に至るように挿入する必要があり、前記滞留場所が特定できるとは限らず、また、管の曲がりが多い場合には、前記滞留場所にまで吸引管を挿入することも困難となることが考えられ、あまり効果的な方法とは考えられない。
そこで、本発明の目的は、上記の問題点を解決し、配管掘削工事を伴わずに簡単な装置によって容易に配管内の滞留水を抽水して排除する手段を提供するところにある。
【０００４】
【課題を解決するための手段】
〔第１特徴構成〕
上記の目的のための本発明の配管内滞留水の抽水方法の第１特徴構成は、請求項１に記載のとおりであり、図１に示した、本発明を都市ガス配管に適用した例に沿って説明すれば、吸引部７と排気部８とを備え、前記吸引部７と前記排気部８に夫々開閉自在な吸引部閉塞手段７ａと排気部閉塞手段８ａとを設けてある真空容器６を設け、配管１の開口部３に前記吸引部７を流路接続し、前記排気部８に真空排気手段５を流路接続し、前記吸引部閉塞手段７ａを閉じた状態で前記真空排気手段５を用いて前記真空容器６内を減圧吸引した後、前記排気部閉塞手段８ａを閉じるとともに前記吸引部閉塞手段７ａを開いて、前記配管１内の気体とともに前記配管１内に滞留する水を前記真空容器６内に吸引する点にある。つまり、予め減圧吸引して内部を減圧状態にしてある真空容器を配管に流路接続し、配管の吸引側を開路することによって、配管の開口部と配管内とに圧力差を生ぜしめて一気に、配管内の滞留水を配管内の気体とともに真空容器内に吸引し、配管内の滞留水を排出する点にある。
〔第１特徴構成の作用効果〕
従って、上記第１特徴構成によれば、配管を掘り起こすことなく、滞留水を安全且つ容易に抽水できるようになる。つまり、真空容器の内容積が充分で、且つ真空容器内が充分に排気されておれば、配管内の気体を急速に吸引できるので、滞留水を吸引する気体とともに一気に真空容器内に吸引でき、しかもこれに伴う排水及び排気がない。この際、真空容器内を吸引する真空排気手段は、減圧性能が充分であれば、排気容量を問わず、真空排気手段の設備を大型化することなく処理を可能とする。しかも、配管内から気体を吸引する能力は、真空容器の内容積に大きく依存するが、吸引開始の初期の段階では、滞留水の滞留場所の吸引方向上流側の配管内と真空容器内の差圧による吸引となり、排気量をさほど必要としないから、全体として要求される真空容器の内容積はそれ程大きなものを必要としない。これは、吸引開始の初期の段階においては、滞留水の滞留場所の配管内は、滞留水で充満されており、滞留水が吸引方向上流側に充満する管路内の気体の圧力によって真空容器側へ押し出されることによって抽水されるからである。その後、吸引されている滞留水の部分の配管内を気体が通過するようになれば、その気体の流速に応じて水が真空容器に吸引されるようになるのである。さらに、排水がないので、配管内に滞留した水が仮に有害成分を含むものであっても現場に排出することがなく、排気がないので、配管内にどのような気体が充満していても、これを外気中に排出することがないので、安全に処理することができる。従って、仮に配管が活管状態であっても、そのままの状態を維持しながら抽水することが可能となる。
その結果、配管掘削工事を伴わずに簡単な装置によって安全且つ容易に配管内の滞留水を抽水して排除することが可能になる。
【０００５】
〔第２特徴構成〕
尚、本発明の配管内滞留水の抽水方法の第２特徴構成は、請求項２に記載のとおりであり、図１に示す例に沿って説明すれば、前記第１特徴構成の配管内滞留水の抽水方法によって配管１内の気体とともに前記配管１内に滞留する水を真空容器６内に吸引した後、吸引部閉塞手段７ａを閉じて前記真空容器６内に前記吸引した気体とともに前記吸引した水を密閉状態で収容する点にある。つまり、滞留水を吸引すると同時に吸引される配管内の気体を、そのまま真空容器内に密閉状態で収容するようにしてある。
〔第２特徴構成の作用効果〕
従って、上記第２特徴構成によれば、上記第１特徴構成の作用効果に加えて、配管内から抽出された滞留水及び気体が外気中に放出されることがない。つまり、吸引に際して排気することがなく、しかも、滞留水を配管内から真空容器内に吸引した後に、吸引部閉塞手段を閉じることで、一旦真空容器内に吸引した気体の吸引部からの外気中への放出もないのである。従って、排水路の確保の必要がなく、排気の問題のみならず、排水の問題もなくなる。例えば、滞留水中に有害成分を含有する場合や、滞留水が有害液である場合などには、現場で有害液を排出することなく、廃液処理の可能な設備を有するところまで安全に移送することが可能となる。殊に、図１に例示したような、都市ガス配管内の滞留水を抽出する場合には、吸引したガスが外気中に放出されるに伴う問題を回避できる。
その結果、滞留水の生じた現場の周辺の状態如何に拘わらず、配管を掘り起こすことなく抽水することが可能となる。
【０００６】
〔第３特徴構成〕
また、本発明の配管内滞留水の抽水方法の第３特徴構成として、請求項３に記載のとおりであり、図１に示す例に沿って説明すれば、前記第２特徴構成の配管内滞留水の抽水方法を都市ガス配管１に適用して、可搬の真空容器６内に吸引した気体とともに吸引した水を密閉状態で収容した後、吸引部７と前記都市ガス配管１の開口部３との流路接続及び前記排気部８と前記真空排気手段５との流路接続を取外し、前記吸引した気体とともに前記吸引した水を密閉状態で収容する前記真空容器６を移送し、前記吸引した気体を及び前記吸引した水を、安全な状態で処理する点にある。つまり、滞留水と共に吸引したガスを安全に処理可能な処理設備を備えた場所まで真空容器を移送して、処理設備において真空容器内の水及びガスを処理するのである。
〔第３特徴構成の作用効果〕
従って、上記第３特徴構成によれば、上記第１特徴構成或いは第２特徴構成の作用効果に加えて、吸引したガスを安全に真空容器から排出することが出来る。つまり、滞留水と共に吸引したガスは、可燃性であり、しかも有害ガスを含む場合もあり、このガスを安全に処理することが可能な、例えばガス燃焼処理設備のような設備を備えた処理場所に真空容器を移送してすることで、真空容器内に吸引したガスは安全に処理できるようになる。
その結果、滞留水の生じた現場の周辺の状態如何に拘わらず、配管を掘り起こすことなく抽水することが可能となると同時に、抽出後の真空容器をその内容とともに安全に処理することが可能になる。
【０００７】
尚、上記の本発明の課題を解決するための手段の説明において、図面を参照し、図面との対照を便利にするために符号を記したが、上記図面の参照及び符号の記入により本発明が参照図面他添付図面の構成に限定されるものではない。
【０００８】
【発明の実施の形態】
上記本発明の配管内滞留水の抽水方法の実施の形態の一例について、以下に、図面を参照しながら説明する。図１は、灯外内管における滞留水を、本発明の配管内滞留水の抽水方法によって抽出する例を示したものである。
図１には配管１としての供給管１Ｂから分岐した灯外内管１Ｃに横方向の配管１に対して位置を低くした部位が形成され、そこに凝縮水が滞留した滞留場所２ができている例を示した。前記滞留場所２に滞留した滞留水９を抽水するのには、先ず、配管１の開口部３を形成するために、前記灯外内管１Ｃの立ち上がり部１ａのメータコック４を閉じて、ガスメータＭを外す（図３参照）。別途、吸引部７の吸引部閉塞手段としての吸引側バルブ７ａを閉じた状態で可動の車輪付真空容器６の排気部８に真空排気手段５の吸引管５ａを接続して、前記排気部８の排出部閉塞手段としての排出側バルブ８ａを開いて前記真空容器６内を充分に減圧して、前記排出側バルブ８ａを閉じておく。前記開口部３に前記吸引部７の抽出管７ｂを接続し、前記メータコック４を開く。その後、前記吸引側バルブ７ａを開いて、一気に配管１内のガスを前記真空容器６内に吸引する。吸引を終わると、前記吸引側バルブ７ａを閉じ、メータコック４も閉じて、前記抽出管７ｂを前記開口部３から取外す。配管１内のガスと共に滞留水９を収容した真空容器６は、ガス処理設備に移動して、ガスを放出し、次いで、ドレンコック６ａを開いて抽出した滞留水９を排出する。
【０００９】
前記配管１内のガスを吸引する際には、初期の段階では、前記滞留場所２は滞留水９が充満しているので、前記滞留水９は配管１内のガスの圧力によって前記開口部３に向けて押し出され、水流として前記抽出管７ｂに流れ込む。その後、ガス流と水流とが共に配管１内を流れるようになると、ガス流に引かれて水が下流側へ引き込まれ、前記開口部３から抽出管７ｂを経て真空容器６内に吸い込まれるようになる。前記初期の段階では、滞留場所２に対して吸引方向上流側のガス圧と真空容器６内の圧力差によって水は圧送されるから、吸引の流速を必要としないが、その後、ガス流によって水を真空容器６内に引き込むには、ガスの流速が必要となる。前記初期の段階では、真空容器６内の圧力上昇が比較的小さいので、その後の吸引のための吸引力は温存できるので、前記真空容器６の内容積を所定の大きさ以上にしておけば、強力に吸引できるので、滞留水９は充分に吸引できる。つまり、抽水に際しては、最初は、吸引量よりも吸引側と配管内の圧力差の大きいことが好ましく、その後の水の吸引に対しては、水を同伴して抽出するガスの流速が大きいことが好ましいが、前記真空容器６の内容積を必要なだけ確保して、充分に真空容器６内を排気して減圧状態を維持しておけば、上記の好ましい条件は満足できる。しかも、ガスを吸引する間には排気しないので、ガスを空気中に放出することがなく、安全に抽水することができる。
【００１０】
上記のようにガスと水を抽出して密閉状態で真空容器６内に保持するので、前記真空容器６を安全に処理できる場所に移動して、ガスを放出することが可能になる。ガスの放出先としては、例えば燃焼炉内、煙道等が適宜選択可能である。
【００１１】
次に、本発明の他の実施の形態について説明する。
〈１〉上記実施の形態においては、可動の車輪付真空容器を用いた例を示したが、前記真空容器は車載のものであってもよく、可搬のものであってもよい。
〈２〉上記実施の形態においては、灯外内管に滞留場所の発生した場合を例としたが、図２に示したような、供給管１Ｂの複数の箇所と灯外内管１Ｃに滞留場所２の発生した場合においても本発明が適用可能で、前記図示の例の場合には、滞留場所２の生じた灯外内管１ＣのガスメータＭを取り外して、上記実施の形態のようにすれば、一度の吸引操作で、複数カ所の滞留場所２の滞留水９を同時に抽出することが可能である。このようにすれば、従来技術で説明したような、供給管１Ｂの二箇所にわたる掘り起こし作業が不要となる。
〈３〉上記図２に示したような従来の方法に代えて、一方の掘り起こしは省略せずに供給管の切離しを行い、本管１Ａとの切離しを行う掘り起こしをせずに、切り離した供給管１Ｂの開口部３から本発明の抽水方法によって抽水を行ってもよい。このようにすれば、同時に複数カ所の滞留場所からの滞留水の抽出が可能となる。この場合には、本管側を活管状態で抽水することが可能である。
〈４〉上記実施の形態においては、都市ガス配管から抽水する例を示したが、抽水する対象となる配管は、他の配管であってもよく、例えば、地中埋設の有害ガス配管であってもよく、また、ドレントラップを設けていない架空のものであってもよい。
〈５〉上記実施の形態においては、都市ガス配管から凝縮水を抽水する例を示したが、他の配管内に有害液の凝縮した場合にも本発明は適用可能で、滞留水には有害物質の溶存する溶液や、液状の有害物を包含するものである。
〈６〉また、蒸気配管における横配管部で、ドレントラップの配置に対して、逆勾配になってしまった配管内の凝縮水の除去にも本発明は適用可能である。
〈７〉上記実施の形態においては、吸引部閉塞手段として吸引側バルブ７ａを用いた例を示したが、前記吸引部閉塞手段は他の手段であってもよく、例えば、逆止弁であってもよく、また手動開閉可能の逆止弁を用いてあってもよい。
〈８〉上記実施の形態においては、排気部閉塞手段として排気側バルブ８ａを用いた例を示したが、前記排気部閉塞手段は他の手段であってもよく、例えば、逆止弁であってもよく、また手動開閉可能の逆止弁を用いてあってもよい。
【図面の簡単な説明】
【図１】本発明の配管内滞留水の抽水方法を都市ガス配管に適用した例を示す説明図
【図２】従来の配管内滞留水の抽水方法の一例を示す説明図
【図３】従来の配管内滞留水の抽水方法の他の例を示す説明図
【符号の説明】
１    配管
３    配管の開口部
５    真空排気手段
６    真空容器
７    吸引部
７ａ  吸引部閉塞手段
８    排気部
８ａ  排気部閉塞手段
【図１】
0003770685.tif 000002
【図２】
0003770685.tif 000003
【図３】
0003770685.tif 000004